【手続補正書】
【提出日】平成17年5月24日(2005.5.24)
【手続補正１】
【補正対象書類名】明細書
【補正対象項目名】特許請求の範囲
【補正方法】変更
【補正の内容】
【特許請求の範囲】
【請求項１】
位置情報を含むランドマークの属性情報を設定する属性情報設定手段と、
前記設定された属性情報を、前記ランドマークに対応付けて記憶する記憶手段と、
前記ランドマークに基準位置を設定する基準位置設定手段と、
前記設定された位置情報に基づいて、前記ランドマークの、前記設定された基準位置からの相対位置を決定する相対位置決定手段と、
前記決定された相対位置に基づいて、前記ランドマークの表示位置を決定する表示位置決定手段とを備える、簡略地図作成装置。
【請求項２】
前記決定された表示位置に、前記ランドマークを表示する表示手段をさらに備える、請求項１に記載の簡略地図作成装置。
【請求項３】
前記基準位置設定手段は、ユーザから表示画面の地図上で指定される基準位置情報と、予め記憶されている複数の基準位置情報から選択された基準位置情報と、位置取得手段から取得された現在位置を基準位置とする基準位置情報との少なくとも１つの基準位置情報に基づいて前記基準位置を設定する、請求項１または２に記載の簡略地図作成装置。
【請求項４】
前記表示手段は、前記ランドマークに設定された属性情報に応じて前記ランドマークの表示方法を切替える、請求項２に記載の簡略地図作成装置。
【請求項５】
前記属性情報設定手段は、ユーザから文字列あるいはスクリプトによって入力される位置情報と、ユーザから地図上で指定されることで入力される位置情報と、位置情報取得手段によって取得する位置情報との少なくとも１つの位置情報を含む属性情報を設定する、請求項１に記載の簡略地図作成装置。
【請求項６】
前記属性情報設定手段は、前記ランドマークの属するグループ情報をさらに設定し、前記表示手段は、所定のグループに属するランドマークを複数の表示方法で表示することが可能である、請求項２に記載の簡略地図作成装置。
【請求項７】
前記設定された属性情報に基づいて、前記ランドマークの属するグループを分類するグルーピング手段をさらに備え、
前記表示手段は、所定のグループに属するランドマークを通常とは異なる表示方法で表示する、請求項２に記載の簡略地図作成装置。
【請求項８】
前記表示手段は、所定のグループに属するランドマークのみを表示する、請求項６または７に記載の簡略地図作成装置。
【請求項９】
前記属性情報設定手段は、前記記憶手段にすでに属性情報が格納されているランドマークに対する属性情報をさらに設定し、
前記記憶手段は、前記ランドマークの属性情報を更新して記憶する、請求項１に記載の簡略地図作成装置。
【請求項１０】
前記属性情報が更新された第１のランドマークの位置情報を前記基準位置としている第２のランドマークの属性情報を、前記記憶手段から抽出する抽出手段をさらに備え、
前記相対位置決定手段は、前記更新された第１のランドマークの位置情報を新たな基準位置として、前記第２のランドマークの前記新たな基準位置からの相対位置を決定する、請求項９に記載の簡略地図作成装置。
【請求項１１】
前記決定された第１のランドマークの表示位置が、前記第１のランドマークとは異なる第２のランドマークの表示位置と同一である場合に、前記表示位置決定手段は、前記決定された第１のランドマークの表示位置から所定の範囲にある他の位置を新たな表示位置として決定する、請求項１に記載の簡略地図作成装置。
【請求項１２】
端末装置とサーバとを含む簡略地図作成システムであって、
前記端末装置は、位置情報を含むランドマークの属性情報を、前記サーバに対して設定する属性情報設定手段を備え、
前記サーバは、
前記設定された属性情報を、前記ランドマークに対応付けて記憶する記憶手段と、
前記ランドマークに基準位置を設定する基準位置設定手段と、
前記設定された位置情報に基づいて、前記ランドマークの、前記設定された基準位置からの相対位置を決定する相対位置決定手段と、
前記決定された相対位置に基づいて、前記ランドマークの表示位置を決定する表示位置決定手段と、
前記決定された前記ランドマークの表示位置を、前記端末装置に対して送信する送信手段とを備える、簡略地図作成システム。
【請求項１３】
位置情報を含むランドマークの属性情報を設定する属性情報設定ステップと、
前記設定された属性情報を、前記ランドマークに対応付けて記憶装置に格納する格納ステップと、
前記ランドマークに基準位置を設定する基準位置設定ステップと、
前記設定された位置情報に基づいて、前記ランドマークの、前記設定された基準位置からの相対位置を決定する相対位置決定ステップと、
前記決定された相対位置に基づいて、前記ランドマークの表示位置を決定する表示位置決定ステップとを備える、簡略地図作成方法。
【請求項１４】
前記決定された表示位置に、前記ランドマークを表示する表示ステップをさらに備える、請求項１３に記載の簡略地図作成方法。
【請求項１５】
簡略地図作成方法をコンピュータに実行させる簡略地図作成プログラムであって、
ランドマークの属性情報として、位置情報を含むランドマークの属性情報を設定する属性情報設定ステップと、
前記設定された属性情報を、前記ランドマークに対応付けて記憶装置に格納する格納ステップと、
前記ランドマークに基準位置を設定する基準位置設定ステップと、
前記設定された位置情報に基づいて、前記ランドマークの、前記設定された基準位置からの相対位置を決定する相対位置決定ステップと、
前記決定された相対位置に基づいて、前記ランドマークの表示位置を決定する表示位置決定ステップとを実行させる、簡略地図作成プログラム。
【請求項１６】
前記決定された表示位置に、前記ランドマークを表示する表示ステップをさらに実行させる、請求項１５に記載の簡略地図作成プログラム。
【手続補正２】
【補正対象書類名】明細書
【補正対象項目名】００１４
【補正方法】変更
【補正の内容】
【００１４】
【課題を解決するための手段】
上記目的を達成するために、本発明のある局面に従うと、簡略地図作成装置は、位置情報を含むランドマークの属性情報を設定する属性情報設定手段と、設定された属性情報を、ランドマークに対応付けて記憶する記憶手段と、ランドマークに基準位置を設定する基準位置設定手段と、設定された位置情報に基づいて、ランドマークの、設定された上記基準位置からの相対位置を決定する相対位置決定手段と、決定された相対位置に基づいて、ランドマークの表示位置を決定する表示位置決定手段とを備える。
【手続補正３】
【補正対象書類名】明細書
【補正対象項目名】００１５
【補正方法】変更
【補正の内容】
【００１５】
また、簡略地図作成装置は、決定された表示位置に、ランドマークを表示する表示手段をさらに備えることが望ましい。
なお、基準位置設定手段は、ユーザから表示画面の地図上で指定される基準位置情報と、予め記憶されている複数の基準位置情報から選択された基準位置情報と、位置取得手段から取得された現在位置を基準位置とする基準位置情報との少なくとも１つの基準位置情報に基づいて基準位置を設定することが望ましい。
また、上記表示手段は、ランドマークに設定された属性情報に応じてランドマークの表示方法を切替えることがより望ましい。
【手続補正４】
【補正対象書類名】明細書
【補正対象項目名】００２０
【補正方法】変更
【補正の内容】
【００２０】
また、上述の属性情報設定手段は、上記記憶手段にすでに属性情報が格納されているランドマークに対する属性情報をさらに設定し、記憶手段は、ランドマークの属性情報を更新して記憶することが望ましい。
【手続補正５】
【補正対象書類名】明細書
【補正対象項目名】００２１
【補正方法】変更
【補正の内容】
【００２１】
また、簡略地図作成装置は、属性情報が更新された第１のランドマークの位置情報を基準位置としている第２のランドマークの属性情報を、記憶手段から抽出する抽出手段をさらに備え、相対位置決定手段は、更新された第１のランドマークの位置情報を新たな基準位置として、第２のランドマークの新たな基準位置からの相対位置を決定することが望ましい。
【手続補正６】
【補正対象書類名】明細書
【補正対象項目名】００２３
【補正方法】変更
【補正の内容】
【００２３】
本発明の他の局面に従うと、簡略地図作成システムは、端末装置とサーバとを含む簡略地図作成システムであって、端末装置は、位置情報を含むランドマークの属性情報を、サーバに対して設定する属性情報設定手段を備え、サーバは、設定された属性情報を、ランドマークに対応付けて記憶する記憶手段と、ランドマークに基準位置を設定する基準位置設定手段と、設定された位置情報に基づいて、ランドマークの、設定された上記基準位置からの相対位置を決定する相対位置決定手段と、決定された相対位置に基づいて、ランドマークの表示位置を決定する表示位置決定手段と、決定されたランドマークの表示位置を、端末装置に対して送信する送信手段とを備える。
【手続補正７】
【補正対象書類名】明細書
【補正対象項目名】００２４
【補正方法】変更
【補正の内容】
【００２４】
本発明のさらに他の局面に従うと、簡略地図作成方法は、位置情報を含むランドマークの属性情報を設定する属性情報設定ステップと、設定された属性情報を、ランドマークに対応付けて記憶装置に格納する格納ステップと、ランドマークに基準位置を設定する基準位置設定ステップと、設定された位置情報に基づいて、ランドマークの、設定された上記基準位置からの相対位置を決定する相対位置決定ステップと、決定された相対位置に基づいて、ランドマークの表示位置を決定する表示位置決定ステップとを備える。
【手続補正８】
【補正対象書類名】明細書
【補正対象項目名】００２６
【補正方法】変更
【補正の内容】
【００２６】
本発明のさらに他の局面に従うと、簡略地図作成プログラムは、簡略地図作成方法をコンピュータに実行させる簡略地図作成プログラムであって、位置情報を含むランドマークの属性情報を設定する属性情報設定ステップと、設定された属性情報を、ランドマークに対応付けて記憶装置に格納する格納ステップと、ランドマークに基準位置を設定する基準位置設定ステップと、設定された位置情報に基づいて、ランドマークの、設定された上記基準位置からの相対位置を決定する相対位置決定ステップと、決定された相対位置に基づいて、ランドマークの表示位置を決定する表示位置決定ステップとを実行させる。